(57)【特許請求の範囲】
【請求項１】
砂を投入可能なケーシングの上部を締めたり緩めたり可能な上部ケーシングチャックと、そのケーシングの下部を締めたり緩めたり可能な下部ケーシングチャックとを設けると共に、上記上部ケーシングチャックにバイブロハンマーを搭載し、バイブロハンマーをワイヤーを介してウインチで巻き上げ巻き戻し可能に吊り下げた砂杭打設装置を使用して櫓の高さよりも長いケーシングを地盤に貫入させる際に、下部ケーシングチャックを締め、上部ケーシングチャックを緩めて、上部ケーシングチャックに搭載したバイブロハンマーをケーシングの上部まで上昇した後、上部ケーシングチャックを締め、下部ケーシングチャックを緩める手順を行なう砂杭の打設方法。
【請求項２】
砂を投入可能なケーシングの上部を締めたり緩めたり可能な上部ケーシングチャックと、そのケーシングの下部を締めたり緩めたり可能な下部ケーシングチャックとを設けると共に、上記上部ケーシングチャックにバイブロハンマーを搭載し、バイブロハンマーをワイヤーを介してウインチで巻き上げ巻き戻し可能に吊り下げた砂杭の打設装置。
【発明の詳細な説明】
【０００１】
【発明の属する技術分野】
本発明は、主として軟弱地盤等に砂杭を打設して地盤中の排水を良好にしたり、または地盤中に砂杭を打設して強度を高めるための砂杭の打設方法及びその装置に関する。
【０００２】
【従来の技術】
従来、砂杭の造成は、粘性地盤中へ砂杭を打設して、その粘性地盤層中の水を排水するサンドドレーン用と、締め固めた砂杭を造成して地盤の強度を高めるサンドコンパクション用の２種類の方式が行なわれている。
従来行なわれている方法では、一般的に櫓の高さよりも多少短いケーシングを地盤に打ち込んだ上、そのケーシング中に砂を投入してケーシングを引き抜くことで地盤中に砂杭を残す砂杭の打設方法が通常である。
【０００３】
しかしながら、状態によっては既存の櫓よりも長さの長いケーシングを地盤中に打設することが必要となることが多少あり、その場合には櫓に改造を加えねばならず、そのような改造をすることは、その打設装置のステイ部分などに強度が不足することにより改造費がかさむという問題があった。
【０００４】
【発明が解決しようとする課題】
本発明は、ケーシング打設用の既存の櫓の高さ変更のための改造を行なうことなく、その櫓の高さよりも長いケーシングの打設を経済的に行なうことが可能で、かつ打設するケーシングの長さの適用範囲を広げることが可能な砂杭の打設方法及びその装置を提供する。
【０００５】
【課題を解決するための手段】
本発明は、砂を投入可能なケーシングの上部を締めたり緩めたり可能な上部ケーシングチャックと、そのケーシングの下部を締めたり緩めたり可能な下部ケーシングチャックとを設けると共に、上記上部ケーシングチャックにバイブロハンマーを搭載し、バイブロハンマーをワイヤーを介してウインチで巻き上げ巻き戻し可能に吊り下げた砂杭打設装置を使用して櫓の高さよりも長いケーシングを地盤に貫入させる際に、下部ケーシングチャックを締め、上部ケーシングチャックを緩めて、上部ケーシングチャックに搭載したバイブロハンマーをケーシングの上部まで上昇した後、上部ケーシングチャックを締め、下部ケーシングチャックを緩める手順を行なう砂杭の打設方法、ならびに砂を投入可能なケーシングの上部を締めたり緩めたり可能な上部ケーシングチャックと、そのケーシングの下部を締めたり緩めたり可能な下部ケーシングチャックとを設けると共に、上記上部ケーシングチャックにバイブロハンマーを搭載し、バイブロハンマーをワイヤーを介してウインチで巻き上げ巻き戻し可能に吊り下げた砂杭の打設装置からなる。
【０００６】
【発明の実施の形態】
以下図面を参照して本発明の砂杭の打設方法及びその方法を適用する打設装置の一実施形態について説明するが、図１の実施形態は、その砂杭の打設装置を装備したサンドドレン船１２の側面図を示しており、そのサンドドレン船１２上に立設して装着された櫓１上から、それらの櫓１の高さよりも長さの長い砂杭打設用のケーシング２が配置されている。なお、図２は図１の平面図、図３は図１の正面図である。
【０００７】
上記の各図に示しているごとく、この打設装置は、複数のケーシング２を打設可能なように、ウインチ６やバイブロハンマー５が多数、櫓１を介して設けられているが、特にこれらの数は限定するものではなく、一方、この実施形態のサンドドレーン船１２上にはコンプレッサー１０や発電機１１等の必要機器が搭載されている。
【０００８】
次に、上記に示したケーシング２を地盤Ｇ中に打設する打設方法の手順につき各図で順次説明するが、各ケーシング２には、ウインチで巻き上げ、巻き戻し可能なワイヤーに連結された上部ケーシングチャック３と、櫓１の下部または甲板に固定された下部ケーシングチャック４が配置されている。
各ケーシングチャック３，４には図４に示すごとく、ケーシング２の外周をそれぞれ締め付けたり緩めたり可能なチャック７がそれぞれ設けられている。なお、上部ケーシングチャック３にはバイブロハンマー５が搭載されている。
【０００９】
そこで、上記砂杭の打設時の作業準備の第１段階として、図５において各ケーシング２の上部の周囲に貫通した上部ケーシングチャック３のチャック７を締めた後、各ケーシング２の下部の周囲に貫通した下部ケーシングチャック４のチャック７を緩め、その状態で図６に示すごとくウインチ６を巻き戻してケーシング２を降下させる。
【００１０】
上記図６の状態のごとくケーシング２を降下させた後、図７のごとく、下部ケーシングチャック４のチャック７を締め、上部ケーシングチャック３のチャック７を緩めた状態でバイブロハンマー５を搭載した上部ケーシングチャック３を上昇の上、上部ケーシングチャック３のチャック７を締め、下部ケーシングチャック４のチャック７を緩めることにより、砂杭の打設作業の準備が完了の状態となる。
【００１１】
以上のごとく作業準備完了の姿勢より、図８に示すごとくバイブロハンマー５を駆動させながらウインチ６を巻き戻して上部ケーシングチャック３のチャック７を介してケーシング２を地盤Ｇ中に貫入し、所定深度まで貫入後、ケーシング２内に砂Ｓを投入の上、バイブロハンマー５を駆動させながらウインチ６を巻き上げてケーシング２を上方に引き抜くことにより、砂Ｓによる砂杭が地盤Ｇ中に造成されることになる。
【００１２】
上記実施形態では、バイブロハンマー５を駆動させてケーシングを地盤Ｇへ貫入する前に、上部および下部ケーシングチャック３、４を使用してバイブロハンマー５をケーシング２の上部へ移動したが、バイブロハンマー５をケーシング２の上部へ移動せずに、先にバイブロハンマーを駆動してケーシングをある程度地盤Ｇに貫入させた後、上部および下部ケーシングチャック３、４を使用してバイブロハンマー５をケーシング２の上部へ移動してもよい。つまり、上部および下部ケーシングチャック３、４を使用してバイブロハンマー５をケーシング２の上部へ移動する手順を、ケーシングを地盤に貫入させる際に行えばよい。
【００１３】
なお、上記図１で示した砂杭の打設装置の実施形態は、水上のサンドドレーン船１２上に立設した櫓１に打設装置を装備した例であるが、水上の場合でなく陸上の場合でもクローラクレーンに３点支持機構等を設けて、それに櫓１を設けて前記と同様な打設装置を装備して、ケーシング２を地盤Ｇ中に貫入して前記と同様な砂杭を造成することが可能である。
【００１４】
【発明の効果】
以上に説明した本発明の砂杭の打設方法及びその装置によれば、櫓よりも長いケーシングでも容易に地盤中に打設して砂杭の打設施工ができる。
また、従来のごとく、既存の櫓の高さを変更するための改造を行なうことなしに櫓の高さよりも長さの長いケーシングの打設を経済的に行なうことが可能になり、改造費の節減がはかれると共に、砂杭打設時に適用するケーシングの長さの範囲を広げることができる。
【図面の簡単な説明】
【図１】本発明の砂杭の打設装置を装備したサンドドレーン船の一実施形態における側面図である。
【図２】図１の平面図である。
【図３】図２の正面図である。
【図４】図１の打設装置に使用されるチャックの拡大平面図である。
【図５】図１の打設装置を使用して砂杭の打設する方法の手順を説明する第１の作業準備を示す側面図である。
【図６】図５に続く次の作業準備を示す側面図である。
【図７】図６に続く作業準備完了の姿勢を示す側面図である。
【図８】図７に続く砂杭造成作業時を示す側面図である。
【符号の説明】
１  櫓                            ２  ケーシング
３  上部ケーシングチャック        ４  下部ケーシングチャック
５  バイブロハンマー              ６  ウインチ
Ｇ  地盤                          Ｓ  砂
【図１】
0003843167.tif 000002
【図２】
0003843167.tif 000003
【図３】
0003843167.tif 000004
【図４】
0003843167.tif 000005
【図５】
0003843167.tif 000006
【図６】
0003843167.tif 000007
【図７】
0003843167.tif 000008
【図８】
0003843167.tif 000009